(57)【要約】【課題】電子写真方式を応用した画像形成装置において、コストアップを伴うことなく、ミラー部材のスキュー調整を容易、且つ迅速に行う。【解決手段】レーザスキャンユニットのハウジング５０を装置本体のフレーム等に搭載した後、ハウジング５０の外側から（すなわち、装置本体の上方から）位置決め用ねじ５４を回転させる。これに伴ってミラー角度調整部材５２が前進又は後退され、ミラー部材３８とミラー当接部５２ａ及びミラー押圧部５３ｂとの当接部それぞれが移動すると共に、ハウジング５０に対するミラー部材３８の角度が調整される。これにより、ハウジング５０をフレーム等に搭載したまま状態で、ミラー部材３８のスキュー調整を迅速に行うことができるようになる。【選択図】図３
2008102186.tif 000002
【特許請求の範囲】
【請求項１】
表面に感光体が塗布された感光体ドラムと、
前記感光体ドラムの表面を均一に帯電させる帯電手段と、
前記感光体の表面にレーザビームを走査させながら照射して潜像を形成する露光手段と、
前記感光体の表面のうち潜像が形成された部分にトナーを付着させてトナー像を形成する現像手段と、
前記感光体ドラムの回転方向の前記現像手段よりも下流側の所定の転写位置において、前記感光体ドラムの表面に対向するように設けられ、前記感光体ドラムの表面に形成されたトナー像を記録紙の上に転写させる転写手段と、
トナー像が転写された記録紙に所定の熱及び圧力を与えてトナー像を記録紙上に定着させる定着手段とを備え、
前記露光手段は、レーザビームを出射するレーザダイオードと、前記レーザダイオードから出射されたレーザビームを平行化するコリメータレンズと、このコリメータレンズによって平行化されたレーザビームを主走査方向にのみ集束させるシリンダレンズと、このシリンダレンズによって主走査方向にのみ集束されたレーザビームを主走査方向に走査するように反射させるポリゴンミラーと、このポリゴンミラーによって反射されたレーザビームを透過させるｆθレンズと、このｆθレンズを透過したレーザビームを前記感光体ドラムの表面に向けて反射させるミラー部材と、これらの各部品が組み込まれる樹脂成型品による箱状のハウジングと、このハウジングに対する前記ミラー部材の取り付け角度を調整するミラー角度調整機構とを有する画像形成装置において、
前記ミラー角度調整機構は、前記ミラー部材の背後において一部分が該ハウジングの外部に露出するように該ハウジングに装着され、前記ミラー部材の背面端部と当接されて該ミラー部材の該ハウジングに対する取り付け角度を調整するミラー角度調整部材と、前記ミラー部材を前記ミラー角度調整部材の側に付勢する付勢手段と、前記ミラー角度調整部材を前記ハウジングに位置決めするための位置決め用ねじとを備え、
前記付勢手段は、その基端部が前記ハウジングの外部においてばね装着用ねじによって該ハウジングに装着され、その先端部において前記ミラー部材を前記ｆθレンズの光軸に平行な方向であって該ｆθレンズとは反対方向に押圧するミラー押圧部を有し、
前記ハウジングは、その底面に前記付勢手段の先端側を前記ハウジングの内部に挿通させるための挿通孔を有し、かつ前記ミラー角度調整部材を前記ｆθレンズの光軸に平行な方向に前進又は後退させる際に、該ミラー角度調整部材をガイドするガイド突起と、前記位置決め用ねじを挿通させるためのねじ挿通部を、前記底面の裏面側に有し、天地を逆にした倒置姿勢で装置本体に搭載され、
前記ミラー角度調整部材は、金属製の板状部材を折り曲げることにより形成され、前記ミラー部材と当接されるミラー当接部と、前記ガイド突起が係合される溝部と、前記位置決め用ねじが螺入されるねじ螺入部を有し、
前記ハウジングが装置本体に搭載された後、前記位置決め用ねじを回転させて、前記ミラー角度調整部材を前記ｆθレンズの光軸に平行な方向に前進又は後退させることにより、前記ミラー部材とミラー当接部及びミラー押圧部との当接部分がそれぞれ移動し、それによって前記ミラー部材のスキュー調整が可能とされ、前記ミラー部材を前記感光体ドラムに対して最適角度となるように前記ハウジングに固定可能としたことを特徴とする画像形成装置。
【請求項２】
表面に感光体が塗布された感光体ドラムと、
前記感光体の表面にレーザビームを走査させながら照射して潜像を形成する露光手段とを備えた画像形成装置において、
前記露光手段は、レーザビームを出射するレーザダイオードと、前記レーザダイオードから出射されたレーザビームを主走査方向に走査するように反射させるポリゴンミラーと、このポリゴンミラーによって反射されたレーザビームを透過させるｆθレンズと、このｆθレンズを透過したレーザビームを前記感光体ドラムの表面に向けて反射させるミラー部材と、これらの各部品が組み込まれるハウジングと、前記ミラー部材の角度を調整するミラー角度調整部材と、前記ミラー部材を前記ミラー角度調整部材の側に付勢する付勢手段と、前記ミラー角度調整部材を前記ハウジングに位置決めするための位置決め用ねじとを備え、
前記ミラー角度調整部材は、前記ミラー部材と当接されるミラー当接部と、前記位置決め用ねじが螺入されるねじ螺入部とを有し、
前記位置決め用ねじを回転させて前記ミラー角度調整部材を前記ｆθレンズの光軸に平行な方向に前進又は後退させることにより、前記ミラー部材とミラー当接部及びミラー押圧部との当接部分がそれぞれ移動し、それによって前記ミラー部材のスキュー調整が可能とされることを特徴とする画像形成装置。
【請求項３】
前記ハウジングは、前記位置決め用ねじを挿通させるためのねじ挿通部を、前記底面の裏面側に有し、天地を逆にした倒置姿勢で装置本体に搭載され、
前記ハウジングが装置本体に搭載された後、前記位置決め用ねじを回転させることにより、前記ミラー部材を前記感光体ドラムに対して最適角度となるように前記ハウジングに固定可能としたことを特徴とする請求項２に記載の画像形成装置。
【発明の詳細な説明】
【技術分野】
【０００１】
本発明は、感光体ドラムの表面にレーザビームを走査させながら照射して潜像を形成するレーザスキャンユニットを備えた画像形成装置に関するものである。
【背景技術】
【０００２】
レーザビームプリンタなど、電子写真技術を応用した画像形成装置では、適正な画像を形成するために、レーザスキャンユニットから感光体ドラムに対して正確な角度でレーザビームを出射する必要がある。レーザビームは、レーザスキャンユニットに設けられているミラー部材によって反射され、レーザスキャンユニットから出射される。そのため、レーザスキャンユニットには、ミラー部材の角度を調整するためのミラー角度調整機構が設けられている。
【０００３】
例えば、特許文献１には、送りねじと弾性部材によってミラー部材の角度を調整しうるように構成された画像形成装置が示されている。また、特許文献２には、光学箱に設けられたミラー調整台、支持側ばね、可動側ばね、複数のねじ等によって構成されたミラー調整ユニットを備えた画像形成装置が示されている。また、特許文献３には、ミラー部材を挟んで配置された弾性部材とねじとによってミラー部材の角度を調整できるようにした画像形成装置が示されている。
【特許文献１】特開２００４−１０９６５８号公報
【特許文献２】特開２００３−２８７７００号公報
【特許文献３】特開２００１−１００１３５号公報
【発明の開示】
【発明が解決しようとする課題】
【０００４】
ところで、レーザビームプリンタの光学系を構成する部品には、各部品毎に公差の範囲内で寸法的な誤差を有しており、各部品の誤差が累積されると、上記レーザビームの角度が狂い、正常に画像を形成することが困難となることがある。そこで、レーザスキャンユニットを装置本体に搭載した後、レーザスキャンユニットにおけるミラー部材の搭載角度を調整可能に構成されていることが望ましい。一般に、レーザビームの出射部はレーザスキャンユニットの裏面側からレーザビームが出射されるように設けられている。そして、このレーザビームの出射部は感光体ドラムに向けて配置される（通常、感光体ドラムは装置の略中央に配置されるため、レーザビームの出射部は装置の内側に向けて配置される）ことから、特に、画像形成装置の製造現場においては、レーザスキャンユニットのハウジングの底面において、レーザビームの出射部とは反対側の裏面側からミラー部材の角度を調整できるような構成が要望されている。
【０００５】
しかしながら、上記いずれの特許文献に示されたミラー角度調整機構を有する画像形成装置においても、レーザスキャンユニットを装置本体に搭載した後、レーザスキャンユニットを装置本体から取り外すことなく、その裏面側からミラー部材の角度を調整することができないため、レーザスキャンユニットを脱着する工程が別途必要となり、生産性の悪化を招いている。
【０００６】
本発明は、上記課題を解決するためになされたものであり、コストアップ伴うことなく、ミラー部材のスキュー調整を容易、且つ迅速に行いうる画像形成装置を提供することを目的とする。
【課題を解決するための手段】
【０００７】
請求項１に係る発明は、
表面に感光体が塗布された感光体ドラムと、
前記感光体ドラムの表面を均一に帯電させる帯電手段と、
前記感光体の表面にレーザビームを走査させながら照射して潜像を形成する露光手段と、
前記感光体の表面のうち潜像が形成された部分にトナーを付着させてトナー像を形成する現像手段と、
前記感光体ドラムの回転方向の前記現像手段よりも下流側の所定の転写位置において、前記感光体ドラムの表面に対向するように設けられ、前記感光体ドラムの表面に形成されたトナー像を記録紙の上に転写させる転写手段と、
トナー像が転写された記録紙に所定の熱及び圧力を与えてトナー像を記録紙上に定着させる定着手段とを備え、
前記露光手段は、レーザビームを出射するレーザダイオードと、前記レーザダイオードから出射されたレーザビームを平行化するコリメータレンズと、このコリメータレンズによって平行化されたレーザビームを主走査方向にのみ集束させるシリンダレンズと、このシリンダレンズによって主走査方向にのみ集束されたレーザビームを主走査方向に走査するように反射させるポリゴンミラーと、このポリゴンミラーによって反射されたレーザビームを透過させるｆθレンズと、このｆθレンズを透過したレーザビームを前記感光体ドラムの表面に向けて反射させるミラー部材と、これらの各部品が組み込まれる樹脂成型品による箱状のハウジングと、このハウジングに対する前記ミラー部材の取り付け角度を調整するミラー角度調整機構とを有する画像形成装置において、
前記ミラー角度調整機構は、前記ミラー部材の背後において一部分が該ハウジングの外部に露出するように該ハウジングに装着され、前記ミラー部材の背面端部と当接されて該ミラー部材の該ハウジングに対する取り付け角度を調整するミラー角度調整部材と、前記ミラー部材を前記ミラー角度調整部材の側に付勢する付勢手段と、前記ミラー角度調整部材を前記ハウジングに位置決めするための位置決め用ねじとを備え、
前記付勢手段は、その基端部が前記ハウジングの外部においてばね装着用ねじによって該ハウジングに装着され、その先端部において前記ミラー部材を前記ｆθレンズの光軸に平行な方向であって該ｆθレンズとは反対方向に押圧するミラー押圧部を有し、
前記ハウジングは、その底面に前記付勢手段の先端側を前記ハウジングの内部に挿通させるための挿通孔を有し、かつ前記ミラー角度調整部材を前記ｆθレンズの光軸に平行な方向に前進又は後退させる際に、該ミラー角度調整部材をガイドするガイド突起と、前記位置決め用ねじを挿通させるためのねじ挿通部を、前記底面の裏面側に有し、天地を逆にした倒置姿勢で装置本体に搭載され、
前記ミラー角度調整部材は、金属製の板状部材を折り曲げることにより形成され、前記ミラー部材と当接されるミラー当接部と、前記ガイド突起が係合される溝部と、前記位置決め用ねじが螺入されるねじ螺入部を有し、
前記ハウジングが装置本体に搭載された後、前記位置決め用ねじを回転させて、前記ミラー角度調整部材を前記ｆθレンズの光軸に平行な方向に前進又は後退させることにより、前記ミラー部材とミラー当接部及びミラー押圧部との当接部分がそれぞれ移動し、それによって前記ミラー部材のスキュー調整が可能とされ、前記ミラー部材を前記感光体ドラムに対して最適角度となるように前記ハウジングに固定可能としたものである。
【０００８】
請求項２に係る発明は、
表面に感光体が塗布された感光体ドラムと、
前記感光体の表面にレーザビームを走査させながら照射して潜像を形成する露光手段とを備えた画像形成装置において、
前記露光手段は、レーザビームを出射するレーザダイオードと、前記レーザダイオードから出射されたレーザビームを主走査方向に走査するように反射させるポリゴンミラーと、このポリゴンミラーによって反射されたレーザビームを透過させるｆθレンズと、このｆθレンズを透過したレーザビームを前記感光体ドラムの表面に向けて反射させるミラー部材と、これらの各部品が組み込まれるハウジングと、前記ミラー部材の角度を調整するミラー角度調整部材と、前記ミラー部材を前記ミラー角度調整部材の側に付勢する付勢手段と、前記ミラー角度調整部材を前記ハウジングに位置決めするための位置決め用ねじとを備え、
前記ミラー角度調整部材は、前記ミラー部材と当接されるミラー当接部と、前記位置決め用ねじが螺入されるねじ螺入部とを有し、
前記位置決め用ねじを回転させて前記ミラー角度調整部材を前記ｆθレンズの光軸に平行な方向に前進又は後退させることにより、前記ミラー部材とミラー当接部及びミラー押圧部との当接部分がそれぞれ移動し、それによって前記ミラー部材のスキュー調整が可能とされるものである。
【０００９】
請求項３に係る発明は、請求項２に記載の画像形成装置において、
前記ハウジングは、前記位置決め用ねじを挿通させるためのねじ挿通部を、前記底面の裏面側に有し、天地を逆にした倒置姿勢で装置本体に搭載され、
前記ハウジングが装置本体に搭載された後、前記位置決め用ねじを回転させることにより、前記ミラー部材を前記感光体ドラムに対して最適角度となるように前記ハウジングに固定可能としたものである。
【発明の効果】
【００１０】
請求項１の発明によれば、ミラー角度調整部材を進退させることにより、ミラー部材の背面とミラー当接部との当接部分が移動する。これにより、ミラー部材のスキュー調整が容易、且つ迅速に行えるようになる。しかも、ミラー角度調整部材に位置決め用ねじが螺入されるねじ螺入部が設けられているので、作業者は位置決め用ねじを回転させるだけでミラー角度調整部材を前進又は後退させることができ、調整作業を迅速に遂行し、画像形成装置の生産性の向上を図ることができる。さらにまた、露光手段のハウジングは、位置決め用ねじを挿通させるためのねじ挿通部を、底面の裏面側に有しているので、ハウジングを倒置姿勢で装置本体に搭載した後、ハウジングの裏面側から位置決め用ねじを回転させることができる。これにより、ミラー部材のスキュー調整をさらに少ない工程で効率よく行えるようになる。また、ハウジングに形成されているガイド突起と、ミラー角度調整部材の溝部との係合により、ミラー角度調整部材を溝部に沿って容易に移動させることが可能となる。これにより、ミラー部材のスキュー調整がさらに容易なものとなる。また、ミラー角度調整部材及び付勢手段が金属製の板状部材を折り曲げることにより形成されているので、画像形成装置のコストアップを伴うことなく上記効果を得ることができる。
【００１１】
請求項２の発明によれば、ミラー角度調整部材を進退させることにより、ミラー部材の背面とミラー当接部との当接部分が移動する。これにより、ミラー部材のスキュー調整が容易、且つ迅速に行えるようになる。しかも、ミラー角度調整部材に位置決め用ねじが螺入されるねじ螺入部が設けられているので、作業者は位置決め用ねじを回転させるだけでミラー角度調整部材を前進又は後退させることができ、調整作業を迅速に遂行し、画像形成装置の生産性の向上を図ることができる。
【００１２】
請求項３の発明によれば、露光手段のハウジングは、位置決め用ねじを挿通させるためのねじ挿通部を、底面の裏面側に有しているので、ハウジングを倒置姿勢で装置本体に搭載した後、ハウジングの裏面側から位置決め用ねじを回転させることができる。これにより、ミラー部材のスキュー調整をさらに少ない工程で効率よく行えるようになる。
【発明を実施するための最良の形態】
【００１３】
本発明に係る画像形成装置について図面を参照して説明する。図１は、画像形成装置の一構成例であるレーザビームプリンタ１を示している。レーザビームプリンタ１は、表面に感光体が塗布されている感光体ドラム２、クリーナ３、帯電器（帯電手段）４、レーザスキャンユニット（露光手段）５、現像ブラシ（現像手段）６、転写ローラ（転写手段）７、転写ローラ７に対して記録紙Ｐの搬送方向の下流側に配置されている定着ローラ（定着手段）８、記録紙Ｐが装填される給紙トレイ（記録紙保持手段）９、プリント済みの記録紙Ｐが堆積される排紙部１０、給紙トレイ９に装填された記録紙Ｐを感光体ドラム２の位置まで搬送する記録紙搬送機構１１、上記各部を収容する筐体１４等によって構成されている。
【００１４】
クリーナ３は、感光体ドラム２の表面に付着している１行程（１回転）前のトナー及び紙粉を除去し、ドラム表面を清掃する。帯電器４は、クリーナ３によって清掃された感光体ドラム２の表面を均一に帯電させる。レーザスキャンユニット５は、帯電器４によって帯電された感光体ドラム２の表面にレーザビームＬを走査させながら照射して潜像を形成する。現像ブラシ６は、トナーが充填されたトナーカートリッジ１５に装着されており、感光体ドラム２の表面のうち潜像が形成された部分にトナーを付着させてトナー像を形成する。転写ローラ７は、感光体ドラム２の表面に対向するように設けられ、記録紙Ｐを感光体ドラム２の表面に押圧しながら記録紙Ｐの表面を帯電させて、感光体ドラム２の表面に形成されたトナー像を記録紙Ｐの上に転写させる。転写ローラ７によって表面に画像が形成された記録紙Ｐは、定着ローラ８に搬送される。定着ローラ８は、対向して配置された押圧ローラ１６と共に記録紙Ｐを挟みつつ熱と圧力を加えてトナーを定着させる。トナー定着のための熱は、定着ローラ８に内蔵されているヒータ（例えば、ハロゲンランプ等）から供給される。記録紙搬送機構１１は、給紙トレイ９に装填された記録紙Ｐを送出するピックローラ２１を有している。ピックローラ２１は、回転軸２２を介してフレーム部材２３に回転自在に支持されている。筐体１４の背面側には、記録紙搬送機構１１の周辺部に詰まった記録紙を除去するために、開口部が設けられており、開口部には開閉カバー２４が装着されている。
【００１５】
図２は、レーザスキャンユニット５の構成を示す。レーザスキャンユニット５は、レーザビームを出射するレーザダイオード３１と、レーザダイオード３１に駆動電圧を印加する第１の回路基板３２と、レーザダイオード３１から出射されたレーザビームを平行化するコリメータレンズ３３と、コリメータレンズ３３によって平行化されたレーザビームの一部を通過させて絞り込むスリット３４と、スリット３４を通過したレーザビームを主走査方向にのみ集束させるシリンダレンズ３５と、シリンダレンズ３５によって集束されたレーザビームを主走査方向に走査するように反射させるポリゴンミラー３６と、ポリゴンミラー３６によって反射されたレーザビームを透過させるｆθレンズ３７と、ｆθレンズ３７を透過したレーザビームを感光体ドラム２の表面に向けて反射させるミラー部材３８と、ポリゴンミラー３６を回転駆動するための駆動モータ（駆動手段）３９が実装された第２の回路基板４０と、これらの各部品が組み込まれる箱状のハウジング５０と、ミラー部材３８のハウジング５０に対する取り付け角度を調整するミラー角度調整機構５１等を有している。レーザスキャンユニット５は、図２に示した状態から天地を逆にした倒置姿勢でレーザビームプリンタ１のフレームに搭載される（図１参照）。従って、フレームに搭載された状態のハウジング５０は、図２における底面５０ａの裏面側が上方に配向されていることになる。なお、図２において、ミラー角度調整機構５１は、ミラー部材３８の一端に設けられているが、両端に設けるように構成してもよい。
【００１６】
図３及び図４は、ミラー角度調整機構５１の構成を示している。図４は、ハウジング５０の裏面側から視たミラー角度調整機構５１を示している。ミラー角度調整機構５１は、ミラー部材３８の背面端部と当接されるミラー角度調整部材５２と、ミラー部材３８をミラー角度調整部材５２の側に付勢するばね部材（付勢手段）５３と、ミラー角度調整部材５２をハウジング５０に位置決めするための位置決め用ねじ５４と、位置決めされたミラー角度調整部材５２をハウジング５０に仮止めするための仮止め用ねじ５５と、ばね部材５３をハウジング５０に装着・固定するためのばね装着用ねじ５６等を有している。ミラー角度調整部材５２、位置決め用ねじ５４、仮止め用ねじ５５、及びばね装着用ねじ５６は、ハウジング５０の底面５０ａの裏面側から装着される。
【００１７】
ハウジング５０の底面５０ａには、ばね部材５３を裏面側から表面側に挿通させるための挿通孔５０ｂが形成されている。また、底面５０ａの裏面側には、ミラー角度調整部材５２をｆθレンズ３７の光軸方向にガイドするガイド突起５０ｃ、５０ｄと、位置決め用ねじ５４が挿通されるねじ挿通部５０ｅと、ばね部材５３を位置決めするための位置決め用突起５０ｆが、底面５０ａから略垂直に突き出すように形成されている。ねじ挿通部５０ｅには、位置決め用ねじ５４を挿通させるためのねじ穴（図示せず）が底面５０ａと平行に形成されている。
【００１８】
ミラー角度調整部材５２は、金属製の板状部材を折り曲げることにより形成され、ミラー部材３８と当接されるミラー当接部５２ａと、ガイド突起５０ｃ、５０ｄが係合される溝部５２ｃ、５２ｄと、位置決め用ねじ５４が螺入されるねじ螺入部５２ｅを有している。
ミラー当接部５２ａは、ハウジング５０の側面に沿うように折り曲げられたミラー角度調整部材５２の先端部を折り返すことにより形成されている。このように、ミラー角度調整部材５２の先端部を折り返すことによりミラー当接部５２ａが形成されているので、ミラー部材３８の角度が調整により変動しても、ミラー部材３８とミラー当接部５２ａの接触面積をミラー部材３８に損傷を与えない程度に確保することができる。ねじ螺入部５２ｅは、ハウジング５０のねじ挿通部５０ｅと平行に対向し得るように、略垂直に起立され、位置決め用ねじ５４を螺入するための雌ねじが形成されている。従って、位置決め用ねじ５４をねじ挿通部５０ｅに当接させながら締めたとき、ミラー角度調整部材５２は矢印Ｘ方向に後退される。一方、位置決め用ねじ５４を緩めたとき、ミラー角度調整部材５２は矢印Ｙ方向に前進される。
【００１９】
ばね部材５３は、ミラー角度調整部材５２よりも肉厚の薄い金属製の板状部材を折り曲げることにより形成され、その先端部５３ａが挿通孔５０ｂからハウジング５０の表面側に挿通された状態で、ばね装着用ねじ５６によってハウジング５０の底面５０ａに装着される。ばね部材５３の先端部５３ａには、ミラー部材３８と当接し、ミラー部材３８をｆθレンズ３７の光軸方向であってｆθレンズ３７とは反対の方向に押圧するためのミラー押圧部５３ｂと、ミラー部材３８の落下を防止するために、ミラー部材３８の底面と係合する鍔部５３ｃが形成されている。また、ばね装着用ねじ５６が挿通されるねじ穴（図示せず）を挟んで、先端部５３ａの反対側には、位置決め用突起５０ｆと係合される溝部５３ｆが形成されている。
【００２０】
位置決め用ねじ５４の回転に伴ってミラー角度調整部材５２が前進又は後退されると、ミラー部材３８とミラー当接部５２ａ及びミラー押圧部５３ｂとの当接部、すなわちミラー部材３８の一端側（ミラー角度調整部材５２が設けられている側）が移動する。これによって、他端側を軸としてミラー部材３８が回動する。また、図３に示すように、ミラー部材３８とミラー押圧部５３ｂとの当接部が、ミラー部材３８とミラー当接部５２ａとの当接部に対して上方に位置するように、ミラー押圧部５３ｂ及びミラー当接部５２ａが配設されているので、ばね部材５３の付勢力によってミラー部材３８に図中時計回りのモーメントが発生している。従って、位置決め用ねじ５４の回転に伴ってミラー角度調整部材５２が前進又は後退されると、ミラー部材３８が図３において時計回り又は反時計回りに回動し、ハウジング５０に対するミラー部材３８の角度が調整される。そして、ミラー部材３８が所望の角度に調整された後は、仮止め用ねじ５５が締結され、さらに、ガイド突起５０ｃ、５０ｄと溝部５２ｃ、５２ｄとの係合部等に接着剤を滴下・硬化させることにより、ミラー部材３８がハウジング５０に固定される。ミラー角度調整部材５２及び仮止め用ねじ５５の締結及び接着剤の滴下は、全てハウジング５０の裏面側から行うことができる。そのため、ハウジング５０を装置本体のフレーム等に搭載した後、ハウジング５０の外側から（すなわち、装置本体の上方から）ミラー部材３８のスキュー調整を行うことができる。
【００２１】
以上のように、本発明によれば、ミラー角度調整部材５２を進退させることにより、ミラー部材３８とミラー当接部５２ａ及びミラー押圧部５３ｂとの当接部分が移動する。これにより、ミラー部材３８のスキュー調整が容易、且つ迅速に行えるようになる。しかも、ミラー角度調整部材５２に位置決め用ねじ５４と対応する雌ねじが形成されたねじ螺入部５２ｅが設けられているので、作業者は位置決め用ねじ５４を回転させるだけでミラー角度調整部材５２を進退させることができ、調整作業を迅速に遂行し、レーザビームプリンタの生産性の向上を図ることができる。さらにまた、レーザスキャンユニット５のハウジング５０は、位置決め用ねじ５４を挿通させるためのねじ挿通部５０ｅを底面５０ａの裏面側に有しているので、ハウジング５０をフレームに搭載した後、ハウジング５０の裏面側から位置決め用ねじ５４を回転させることができる。これにより、ミラー部材３８のスキュー調整をさらに少ない工程で効率よく行えるようになる。また、ハウジング５０に形成されているガイド突起５０ｃ、５０ｄと、ミラー角度調整部材５２の溝部５２ｃ、５２ｄとの係合により、ミラー角度調整部材５２を溝部５２ｃ、５２ｄに沿って容易に移動させることが可能となる。これにより、ミラー部材３８のスキュー調整がさらに容易なものとなる。また、ミラー角度調整部材５２及びばね部材５３が金属製の板状部材を折り曲げることにより形成されているので、これらの部材を安価に製造することができ、コストアップを伴うことなく上記効果を得ることができる。
【００２２】
なお、本発明は、上記実施形態の構成に限られることなく種々の変形が可能であり、少なくとも、位置決め用ねじ５４を回転させてミラー角度調整部材５２をｆθレンズ３７の光軸に平行な方向に前進又は後退させることにより、ミラー部材３８の角度が調整できるように構成されていればよい。また、ミラー角度調整部材５２は、板金により構成されたものに限られることなく、例えば、樹脂成形によって構成されたものであってもよい。
【図面の簡単な説明】
【００２３】
【図１】本発明の一実施形態に係る画像形成装置の一構成例であるレーザビームプリンタの構成を示す断面図。
【図２】同プリンタにおけるレーザスキャンユニットの構成を示す斜視図。
【図３】ミラー角度調整機構を示す側断面図。
【図４】同機構をハウジングの裏面側から示す斜視図。
【符号の説明】
【００２４】
５    レーザスキャンユニット
３７    ｆθレンズ
３８    ミラー部材
５０    ハウジング
５１    ミラー角度調整機構
５２    ミラー角度調整部材
５３    ばね部材（付勢手段）
５４    位置決め用ねじ
【図１】
2008102186.tif 000003
【図２】
2008102186.tif 000004
【図３】
2008102186.tif 000005
【図４】
2008102186.tif 000006